(57)【要約】【課題】容易にかつ精度良く端子にシートを貼り付けることが可能なシート貼付方法及びシート貼付装置を提供すること。【解決手段】一方の面にシート６が間隔をあけて保持された可撓性を有する長尺のフィルムからなるセパレータ９のシート６を端子１のバレル部３に対向した位置に位置決めして配置させる位置決め工程と、バレル部３の内面形状に沿う外形を有する圧着ヘッド３２をセパレータ９におけるシート６の保持側と反対側からバレル部３へ向かって押し付け、シート６をバレル部３内に押し込んでバレル部３の内面に貼り付ける貼付工程と、バレル部３から圧着ヘッド３２を離間させる離間工程と、バレル部３に貼り付けられたシート６を境にセパレータ９を両側へ引っ張ることでセパレータ９に張力を付与し、シート６からセパレータ９を引き剥がす剥離工程と、を含む。【選択図】図４
2016115548.tif 000002
【特許請求の範囲】
【請求項１】
帯状のキャリアに間隔をあけて連結された端子のバレル部の内面に止水用のシートを貼り付けるシート貼付方法であって、
一方の面に前記シートが間隔をあけて保持された可撓性を有する長尺のフィルムからなるセパレータの前記シートを前記端子の前記バレル部に対向した位置に位置決めして配置させる位置決め工程と、
前記バレル部の内面形状に沿う外形を有する圧着ヘッドを前記セパレータにおける前記シートの保持側と反対側から前記バレル部へ向かって押し付け、前記シートを前記バレル部内に押し込んで前記バレル部の内面に貼り付ける貼付工程と、
前記バレル部から前記圧着ヘッドを離間させる離間工程と、
前記バレル部に貼り付けられた前記シートを境に前記セパレータを両側へ引っ張ることで前記セパレータに張力を付与し、前記シートから前記セパレータを引き剥がす剥離工程と、
を含むことを特徴とするシート貼付方法。
【請求項２】
前記セパレータに形成されたシート位置決め孔と前記キャリアに形成された端子位置決め孔に、位置決めピンを挿通させて前記セパレータの前記シートと前記端子の前記バレル部とを互いに位置決めすることを特徴とする請求項１に記載のシート貼付方法。
【請求項３】
帯状のキャリアに間隔をあけて連結された端子のバレル部の内面に止水用のシートを貼り付けるシート貼付装置であって、
一方の面に前記シートが間隔をあけて保持された可撓性を有する長尺のフィルムからなるセパレータを搬送する搬送機構と、
前記バレル部の内面形状に沿う外形を有する圧着ヘッドを備え、前記圧着ヘッドを前記セパレータにおける前記シートの保持側と反対側から前記バレル部へ向かって押し付け、前記シートを前記バレル部内に押し込んで前記バレル部の内面に貼り付ける貼付機構と、を備え、
前記搬送機構は、前記圧着ヘッドの両側で前記セパレータをそれぞれ保持する一対の搬送部を備え、
前記搬送部は、前記バレル部に前記シートを押し付けた前記圧着ヘッドが前記バレル部から離間した後に互いに離間し、前記バレル部に貼り付けられた前記シートを境に前記セパレータを両側へ引っ張ることで前記セパレータに張力を付与し、前記シートから前記セパレータを引き剥がすことを特徴とするシート貼付装置。
【請求項４】
前記セパレータに形成されたシート位置決め孔と、前記キャリアに形成された端子位置決め孔とに挿通し、前記セパレータの前記シートと前記端子の前記バレル部とを互いに位置決めする位置決めピンを備えることを特徴とする請求項３に記載のシート貼付装置。
【請求項５】
前記搬送機構は、一方の前記搬送部による前記セパレータの保持を解除した状態で他方の前記搬送部を一方の前記搬送部から離れる方向へ移動させることで、前記セパレータを搬送させることを特徴とする請求項３または請求項４に記載のシート貼付装置。
【発明の詳細な説明】
【技術分野】
【０００１】
本発明は、端子にシートを貼り付けるシート貼付方法及びシート貼付装置に関する。
【背景技術】
【０００２】
加締めることで電線と圧着されるＵ字状のバレル部を有する端子として、バレル部における電線の被覆部分に加締められる部分の内面に止水材を設け、この止水材によって電線の被覆との隙間を塞いで止水するものがある（例えば、特許文献１，２参照）。
【先行技術文献】
【特許文献】
【０００３】
【特許文献１】特開２０１４−１８２９５７号公報
【特許文献２】特開２０１４−１６０５９１号公報
【発明の概要】
【発明が解決しようとする課題】
【０００４】
ところで、バレル部に対して止水材の位置がずれていたり、バレル部に密着されていないと、加締め後に電線の被覆部分との間における良好な止水性能が得られないおそれがある。一方、端子のバレル部の所定位置に精度良く止水材を塗布する塗布作業や、シート状の止水材を端子のバレル部の所定位置に精度良く貼り付ける貼付作業は、極めて煩雑で手間のかかる作業であった。
【０００５】
本発明は、上述した事情に鑑みてなされたものであり、その目的は、容易にかつ精度良く端子にシートを貼り付けることが可能なシート貼付方法及びシート貼付装置を提供することにある。
【課題を解決するための手段】
【０００６】
前述した目的を達成するために、本発明に係るシート貼付方法は、下記（１）及び（２）を特徴としている。
（１）  帯状のキャリアに間隔をあけて連結された端子のバレル部の内面に止水用のシートを貼り付けるシート貼付方法であって、
一方の面に前記シートが間隔をあけて保持された可撓性を有する長尺のフィルムからなるセパレータの前記シートを前記端子の前記バレル部に対向した位置に位置決めして配置させる位置決め工程と、
前記バレル部の内面形状に沿う外形を有する圧着ヘッドを前記セパレータにおける前記シートの保持側と反対側から前記バレル部へ向かって押し付け、前記シートを前記バレル部内に押し込んで前記バレル部の内面に貼り付ける貼付工程と、
前記バレル部から前記圧着ヘッドを離間させる離間工程と、
前記バレル部に貼り付けられた前記シートを境に前記セパレータを両側へ引っ張ることで前記セパレータに張力を付与し、前記シートから前記セパレータを引き剥がす剥離工程と、
を含むことを特徴とするシート貼付方法。
（２）  前記セパレータに形成されたシート位置決め孔と前記キャリアに形成された端子位置決め孔に、位置決めピンを挿通させて前記セパレータの前記シートと前記端子の前記バレル部とを互いに位置決めすることを特徴とする（１）に記載のシート貼付方法。
【０００７】
上記（１）のシート貼付方法では、端子のバレル部の内面に止水用のシートを容易に貼り付けることができる。しかも、バレル部に対して位置決めしたシートを圧着ヘッドで押し付けて貼り付けるので、バレル部の所定位置に精度良くシートを貼り付けることができる。また、バレル部にシートを貼り付けた後に、シートからセパレータを容易に引き剥がすことができる。
上記（２）のシート貼付方法では、セパレータのシート位置決め孔とキャリアの端子位置決め孔に位置決めピンを挿通させることで、セパレータのシートを端子のバレル部に高精度に位置決めすることができる。
【０００８】
また、上述した目的を達成するために、本発明に係るシート貼付装置は、下記（３）から（５）を特徴としている。
（３）  帯状のキャリアに間隔をあけて連結された端子のバレル部の内面に止水用のシートを貼り付けるシート貼付装置であって、
一方の面に前記シートが間隔をあけて保持された可撓性を有する長尺のフィルムからなるセパレータを搬送する搬送機構と、
前記バレル部の内面形状に沿う外形を有する圧着ヘッドを備え、前記圧着ヘッドを前記セパレータにおける前記シートの保持側と反対側から前記バレル部へ向かって押し付け、前記シートを前記バレル部内に押し込んで前記バレル部の内面に貼り付ける貼付機構と、を備え、
前記搬送機構は、前記圧着ヘッドの両側で前記セパレータをそれぞれ保持する一対の搬送部を備え、
前記搬送部は、前記バレル部に前記シートを押し付けた前記圧着ヘッドが前記バレル部から離間した後に互いに離間し、前記バレル部に貼り付けられた前記シートを境に前記セパレータを両側へ引っ張ることで前記セパレータに張力を付与し、前記シートから前記セパレータを引き剥がすことを特徴とするシート貼付装置。
（４）  前記セパレータに形成されたシート位置決め孔と、前記キャリアに形成された端子位置決め孔とに挿通し、前記セパレータの前記シートと前記端子の前記バレル部とを互いに位置決めする位置決めピンを備えることを特徴とする（３）に記載のシート貼付装置。
（５）  前記搬送機構は、一方の前記搬送部による前記セパレータの保持を解除した状態で他方の前記搬送部を一方の前記搬送部から離れる方向へ移動させることで、前記セパレータを搬送させることを特徴とする（３）または（４）に記載のシート貼付装置。
【０００９】
上記（３）の構成のシート貼付装置では、搬送機構で搬送されるシートを保持したセパレータに対して、貼付機構の圧着ヘッドがシートの保持側と反対側からバレル部へ向かって押し付けることで、シートをバレル部内に押し込んでバレル部の内面に容易に貼り付けることができる。また、バレル部にシートを押し付けた圧着ヘッドがバレル部から離間した後に、搬送機構の搬送部が互いに離間してバレル部に貼り付けられたシートを境にセパレータを両側へ引っ張ることで、シートからセパレータを容易に引き剥がすことができる。
上記（４）の構成のシート貼付装置では、セパレータのシート位置決め孔とキャリアの端子位置決め孔に挿通する位置決めピンによって、セパレータのシートを端子のバレル部に高精度に位置決めすることができる。
上記（５）の構成のシート貼付装置では、搬送機構の一対の搬送部によってセパレータを確実に搬送させ、セパレータに保持されたシートを貼付機構によるバレル部への貼付位置へ容易に配置させることができる。
【発明の効果】
【００１０】
本発明によれば、容易にかつ精度良く端子にシートを貼り付けることが可能なシート貼付方法及びシート貼付装置を提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、本実施形態に係るシート貼付方法及びシート貼付装置を説明する図であって、図１（ａ）はシート貼り付け前におけるシート貼付装置の斜視図、図１（ｂ）はシート貼り付け時におけるシート貼付装置の斜視図である。
【図２】図２は、セパレータにシートが保持されたシートテープの平面図である。
【図３】図３は、シート貼り付け時における端子のバレル部の概略断面図である。
【図４】図４は、シート貼付装置によって端子のバレル部へシートを貼り付ける際の各工程を説明する図であって、図４（ａ）から図４（ｅ）は、それぞれシート貼付装置の斜視図である。
【発明を実施するための形態】
【００１３】
以下、本発明に係る実施の形態の例を、図面を参照して説明する。
図１は、本実施形態に係るシート貼付方法及びシート貼付装置を説明する図であって、図１（ａ）はシート貼り付け前におけるシート貼付装置の斜視図、図１（ｂ）はシート貼り付け時におけるシート貼付装置の斜視図である。図２は、セパレータにシートが保持されたシートテープの平面図である。図３は、シート貼り付け時における端子のバレル部の概略断面図である。
【００１４】
図１（ａ）及び図１（ｂ）に示すように、本実施形態に係るシート貼付装置１１は、端子１に対して、止水用のシート６を貼り付ける装置である。
【００１５】
端子１は、例えば、銅または銅合金などの導電性金属材料から形成されたもので、プレス加工によって成形されたものである。端子１は、相手方端子と接続される接続部２と、電線が圧着されるＵ字状のバレル部３とを有している。端子１は、そのバレル部３側が長尺の帯状に形成されたキャリア４に連結されている。端子１は、キャリア４の長手方向に間隔をあけて連結されている。キャリア４には、バレル部３との連結箇所に対応する位置に、端子位置決め孔５が形成されている。キャリア４は、端子搬送機構（図示略）によって長手方向に沿って移動される。これにより、キャリア４に連結された端子１は、キャリア４の移動に伴って順に搬送される。
【００１６】
端子１のバレル部３に貼り付けられるシート６は、ゴム等の弾性を有する材料をシート状に形成したものである。シート６は、Ｕ字状のバレル部３の内面側に貼り付けられる。シート６は、バレル部３への貼付面側である下面に接着剤が塗布されており、この接着剤によってバレル部３に貼り付けられる。シート６は、シートテープ７の状態でシート貼付装置１１に送り込まれる。シート６は、シートテープ７における長手方向に間隔をあけた位置に配置されている。
【００１７】
図２に示すように、シートテープ７は、剥離紙８とセパレータ９とを有しており、シート６は、剥離紙８とセパレータ９との間に挟まれた状態で保持されている。シート６は、下面からなる貼付面を剥離紙８側に向けて剥離紙８上に配置されている。剥離紙８は、その表面がシリコンでコーティングされており、これにより、シート６の接着材が塗布された貼付面から容易に剥離可能とされている。セパレータ９は、剥離紙８上に間隔をあけて配置されたシート６の上面側に配置されている。セパレータ９は、例えば、ポリエチレンテレフタレート（ＰＥＴ）からなるフィルムであり、シート６側の下面にはシート６の貼付面の接着剤よりも十分に弱い粘着力を有する粘着剤がコーティングされている。これにより、セパレータ９は、シート６の上面に貼り付いた状態とされている。セパレータ９は、剥離紙８よりも大きな幅寸法を有している。セパレータ９の一側部側には、剥離紙８からはみ出した部分に、シート位置決め孔１０が長手方向へ間隔をあけて形成されている。これらのシート位置決め孔１０は、それぞれのシート６の側方に形成されている。
【００１８】
シート貼付装置１１は、搬送ステージ２１と、貼付機構３１と、搬送機構４１とを備えている。
【００１９】
搬送ステージ２１は、長尺の板状に形成されており、その上部に溝状の搬送路２２を有している。搬送路２２には、シート６を有するシートテープ７が搬送方向Ａへ向かって送り込まれる。搬送ステージ２１の搬送路２２には、長手方向の略中間部に、開口部２３が形成されている。搬送路２２へ送り込まれるシートテープ７は、その最下層の剥離紙８が開口部２３で下方へ折り返される。搬送ステージ２１におけるシートテープ７の搬送方向Ａの上流側には、剥離紙巻取ロール（図示略）が設けられており、開口部２３で搬送ステージ２１の下方へ折り返された剥離紙８が剥離紙巻取ロールによって巻き取られる。これにより、シートテープ７は、開口部２３の上流側の縁部において剥離紙８が剥がされ、剥離紙８のない状態で下流側へ搬送される。これにより、開口部２３の上流側の縁部よりも下流側では、シート６は、セパレータ９の下面側に保持された状態で搬送される。搬送ステージ２１は、その下方側が端子搬送経路２４とされており、この端子搬送経路２４をキャリア４に連結された端子１が端子搬送機構によって搬送方向Ａへ向かって搬送される。
【００２０】
貼付機構３１は、搬送ステージ２１における開口部２３の上方に設けられている。貼付機構３１は、圧着ヘッド３２と、位置決めヘッド３３とを有している。これらの圧着ヘッド３２及び位置決めヘッド３３は、それぞれ昇降機構（図示略）によって昇降可能とされている。圧着ヘッド３２は、下部が端子１のバレル部３の内面形状に沿うＵ字状の外形とされている。圧着ヘッド３２は、搬送ステージ２１の搬送路２２の上方の待機位置（図１（ａ）に示す位置）と、搬送路２２の開口部２３を通り、搬送ステージ２１の下方側に配置される端子１のバレル部３内に入り込んだ圧着位置（図１（ｂ）に示す位置）との間で昇降される。
【００２１】
図３に示すように、圧着ヘッド３２が待機位置から圧着位置に下降されると、圧着ヘッド３２によって、シート６がセパレータ９とともに押し下げられ、端子１のバレル部３に押し込まれる。これにより、シート６の貼付面が端子１のバレル部３の内面に押し付けられ、これにより、シート６がバレル部３に貼り付けられる。
【００２２】
位置決めヘッド３３は、その下部の外形がＵ字状とされている。位置決めヘッド３３には、その下端部に、下方へ延在する位置決めピン３４が設けられている。位置決めピン３４は、シートテープ７のセパレータ９に形成されたシート位置決め孔１０及びキャリア４に形成された端子位置決め孔５に挿通可能な外径を有している。位置決めヘッド３３は、位置決めピン３４の下端が搬送ステージ２１の搬送路２２の上方に配置された待機位置（図１（ａ）に示す位置）と、搬送路２２の開口部２３を通り、搬送ステージ２１の下方側に配置されてキャリア４に当接した位置決め位置（図１（ｂ）に示す位置）との間で昇降される。位置決めヘッド３３が下降される際に、セパレータ９のシート位置決め孔１０及びキャリア４の端子位置決め孔５が位置決めピン３４の軸線を通る位置に配置される。これにより、位置決めヘッド３３が位置決め位置まで下降されることで、位置決めピン３４は、セパレータ９のシート位置決め孔１０及びキャリア４の端子位置決め孔５に挿通され、キャリア４の下方側へ突出される。
【００２３】
搬送機構４１は、上流側搬送部（搬送部）４２と、下流側搬送部（搬送部）４３とを有している。上流側搬送部４２及び下流側搬送部４３は、それぞれ昇降機構（図示略）によって昇降可能とされている。また、これらの上流側搬送部４２及び下流側搬送部４３は、それぞれ移動機構（図示略）によって搬送路２２に沿って移動可能とされている。
【００２４】
上流側搬送部４２は、貼付機構３１よりも搬送方向Ａの上流側に配置されている。上流側搬送部４２は、その下端部に、係止ピン４４を有している。係止ピン４４は、シートテープ７のセパレータ９に形成されたシート位置決め孔１０に挿通してセパレータ９を係止可能な外径を有している。上流側搬送部４２は、係止ピン４４がシートテープ７よりも上方に配置された非係止位置と、係止ピン４４がシートテープ７のセパレータ９のシート位置決め孔１０に挿し込まれてセパレータ９を係止した係止位置との間で昇降される。
【００２５】
下流側搬送部４３は、貼付機構３１よりも搬送方向Ａの下流側に配置されている。下流側搬送部４３は、その下端部に、係止ピン４５を有している。係止ピン４５は、シートテープ７のセパレータ９に形成されたシート位置決め孔１０に挿通してセパレータ９を係止可能な外径を有している。下流側搬送部４３は、係止ピン４５がシートテープ７よりも上方に配置された非係止位置と、係止ピン４５がシートテープ７のセパレータ９のシート位置決め孔１０に挿し込まれてセパレータ９を係止した係止位置との間で昇降される。
【００２６】
次に、上記構成のシート貼付装置１１によって端子１のバレル部３にシート６を貼り付ける場合について説明する。
【００２７】
図４は、シート貼付装置によって端子のバレル部へシートを貼り付ける際の各工程を説明する図であって、図４（ａ）から図４（ｅ）は、それぞれシート貼付装置の斜視図である。
【００２８】
図４（ａ）に示すように、シート貼付装置１１がシート貼付準備状態とされる。このシート貼付準備状態では、搬送ステージ２１の開口部２３の下方に、シート６が貼り付けられていない未貼付の端子１が配置される。また、搬送機構４１の上流側搬送部４２及び下流側搬送部４３の係止ピン４４，４５がセパレータ９のシート位置決め孔１０に挿し込まれてセパレータ９が保持され、セパレータ９における剥離紙８が剥がされた箇所に保持されているシート６が搬送ステージ２１の開口部２３に配置される。
【００２９】
（位置決め工程）
図４（ｂ）に示すように、貼付機構３１の位置決めヘッド３３が下降し（図４（ｂ）中矢印Ｄ参照）、この位置決めヘッド３３の位置決めピン３４が、セパレータ９のシート位置決め孔１０及びキャリア４の端子位置決め孔５に挿通され、シート６と端子１とが位置決めされる。
【００３０】
（貼付工程）
位置決めヘッド３３の下端が圧着ヘッド３２の下端と同一高さ位置とされると、位置決めヘッド３３とともに圧着ヘッド３２が下降する（図４（ｂ）中矢印Ｄ参照）。これにより、開口部２３において、セパレータ９が圧着ヘッド３２と位置決めヘッド３３によって押し下げられる。このとき、搬送機構４１の上流側搬送部４２及び下流側搬送部４３が、開口部２３で下方側へ引き込まれるセパレータ９に追従して開口部２３へ向かって移動する（図４（ｂ）中矢印Ｅ参照）。これにより、セパレータ９には、圧着ヘッド３２と位置決めヘッド３３による下方への押下箇所を境とした上流側及び下流側に、弛みが生じない程度の所定の張力が均一に付与される。したがって、セパレータ９に保持されたシート６は、圧着ヘッド３２と位置決めヘッド３３によって無理なく押し下げられる。そして、圧着ヘッド３２が圧着位置まで下降すると、セパレータ９に保持されているシート６が端子１のバレル部３に押し込まれ、バレル部３に貼り付けられる。
【００３１】
（離間工程）
図４（ｃ）に示すように、貼付機構３１の圧着ヘッド３２及び位置決めヘッド３３が待機位置まで上昇する（図４（ｃ）中矢印Ｆ参照）。
【００３２】
（剥離工程）
図４（ｄ）に示すように、搬送機構４１の上流側搬送部４２及び下流側搬送部４３が、互いに離間する方向へ移動する（図４（ｄ）中矢印Ｇ参照）。すると、セパレータ９は、バレル部３に貼り付けられたシート６を境に両側へ引っ張られ、開口部２３で下方側へ引き込まれた部分に張力が付与されてシート６から引き剥がされ、搬送路２２上に戻される。
【００３３】
（送り工程）
図４（ｅ）に示すように、搬送機構４１の上流側搬送部４２が上昇し（図４（ｅ）中矢印Ｈ参照）、係止ピン４４がセパレータ９のシート位置決め孔１０から引き抜かれ、下流側搬送部４３が下流側へ移動する（図４（ｅ）中矢印Ｉ参照）。これにより、セパレータ９が搬送方向Ａに送られ、次に貼付するシート６が開口部２３に配置される。また、端子搬送機構によってキャリア４が搬送方向Ａに送り出され、次にシート６が貼付される未貼付の端子１が開口部２３の下方側に配置される。その後、搬送機構４１の上流側搬送部４２が下降し、係止ピン４４がセパレータ９のシート位置決め孔１０に挿し込まれる。また、搬送機構４１の下流側搬送部４３が上昇し、係止ピン４５がセパレータ９のシート位置決め孔１０から引き抜かれ、さらに、上流側へ移動して下降し、セパレータ９における一つ上流側のシート位置決め孔１０に係止ピン４５が挿し込まれる。これにより、シート貼付装置１１がシート貼付準備状態とされる（図４（ａ）参照）。
【００３４】
このように、上記のシート貼付装置１１を用いれば、搬送機構４１で搬送されるシート６を保持したセパレータ９に対して、貼付機構３１の圧着ヘッド３２がシート６の保持側と反対側からバレル部３へ向かって押し付けられることで、止水用のシート６をバレル部３内に押し込んで端子１のＵ字状のバレル部３の内面に容易に貼り付けることができる。
【００３５】
また、バレル部３にシート６を押し付けた圧着ヘッド３２がバレル部３から離間した後に、搬送機構４１の上流側搬送部４２及び下流側搬送部４３が互いに離間してバレル部３に貼り付けられたシート６を境にセパレータ９を両側へ引っ張ることで、シート６からセパレータ９を容易に引き剥がすことができる。
【００３６】
また、セパレータ９のシート位置決め孔１０とキャリア４の端子位置決め孔５に位置決めピン３４を挿通させることで、セパレータ９のシート６を端子１のバレル部３に高精度に位置決めすることができる。
【００３７】
しかも、搬送機構４１の上流側搬送部４２及び下流側搬送部４３によってセパレータ９を確実に搬送させ、セパレータ９に保持されたシート６を貼付機構３１によるバレル部３への貼付位置である開口部２３へ容易に配置させることができる。
【００３８】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３９】
ここで、上述した本発明に係るシート貼付方法及びシート貼付装置の実施形態の特徴をそれぞれ以下［１］〜［５］に簡潔に纏めて列記する。
［１］  帯状のキャリア（４）に間隔をあけて連結された端子（１）のバレル部（３）の内面に止水用のシート（６）を貼り付けるシート貼付方法であって、
一方の面に前記シート（６）が間隔をあけて保持された可撓性を有する長尺のフィルムからなるセパレータ（９）の前記シート（６）を前記端子（１）の前記バレル部（３）に対向した位置に位置決めして配置させる位置決め工程と、
前記バレル部（３）の内面形状に沿う外形を有する圧着ヘッド（３２）を前記セパレータ（９）における前記シート（６）の保持側と反対側から前記バレル部（３）へ向かって押し付け、前記シート（６）を前記バレル部（３）内に押し込んで前記バレル部（３）の内面に貼り付ける貼付工程と、
前記バレル部（３）から前記圧着ヘッド（３２）を離間させる離間工程と、
前記バレル部（３）に貼り付けられた前記シート（６）を境に前記セパレータ（９）を両側へ引っ張ることで前記セパレータ（９）に張力を付与し、前記シート（６）から前記セパレータ（９）を引き剥がす剥離工程と、
を含むことを特徴とするシート貼付方法。
［２］  前記セパレータ（９）に形成されたシート位置決め孔（１０）と前記キャリア（４）に形成された端子位置決め孔（５）に、位置決めピン（３４）を挿通させて前記セパレータ（９）の前記シート（６）と前記端子（１）の前記バレル部（３）とを互いに位置決めすることを特徴とする［１］に記載のシート貼付方法。
［３］  帯状のキャリア（４）に間隔をあけて連結された端子（１）のバレル部（３）の内面に止水用のシート（６）を貼り付けるシート貼付装置（１１）であって、
一方の面に前記シート（６）が間隔をあけて保持された可撓性を有する長尺のフィルムからなるセパレータ（９）を搬送する搬送機構（４１）と、
前記バレル部（３）の内面形状に沿う外形を有する圧着ヘッド（３２）を備え、前記圧着ヘッド（３２）を前記セパレータ（９）における前記シート（６）の保持側と反対側から前記バレル部（３）へ向かって押し付け、前記シート（６）を前記バレル部（３）内に押し込んで前記バレル部（３）の内面に貼り付ける貼付機構（３１）と、を備え、
前記搬送機構（４１）は、前記圧着ヘッド（３２）の両側で前記セパレータ（９）をそれぞれ保持する一対の搬送部（上流側搬送部４２，下流側搬送部４３）を備え、
前記搬送部（上流側搬送部４２，下流側搬送部４３）は、前記バレル部（３）に前記シート（６）を押し付けた前記圧着ヘッド（３２）が前記バレル部（３）から離間した後に互いに離間し、前記バレル部（３）に貼り付けられた前記シート（６）を境に前記セパレータ（９）を両側へ引っ張ることで前記セパレータ（９）に張力を付与し、前記シート（６）から前記セパレータ（９）を引き剥がすことを特徴とするシート貼付装置。
［４］  前記セパレータ（９）に形成されたシート位置決め孔（１０）と、前記キャリア（４）に形成された端子位置決め孔（５）とに挿通し、前記セパレータ（９）の前記シート（６）と前記端子（１）の前記バレル部（３）とを互いに位置決めする位置決めピン（３４）を備えることを特徴とする［３］に記載のシート貼付装置。
［５］  前記搬送機構（４１）は、一方の前記搬送部（上流側搬送部４２）による前記セパレータ（９）の保持を解除した状態で他方の前記搬送部（下流側搬送部４３）を一方の前記搬送部（上流側搬送部４２）から離れる方向へ移動させることで、前記セパレータ（９）を搬送させることを特徴とする［３］または［４］に記載のシート貼付装置。
【符号の説明】
【００４０】
１：端子
３：バレル部
４：キャリア
５：端子位置決め孔
６：シート
９：セパレータ
１０：シート位置決め孔
１１：シート貼付装置
３１：貼付機構
３２：圧着ヘッド
３４：位置決めピン
４１：搬送機構
４２：上流側搬送部（搬送部）
４３：下流側搬送部（搬送部）
【図１】
2016115548.tif 000003
【図２】
2016115548.tif 000004
【図３】
2016115548.tif 000005
【図４】
2016115548.tif 000006